(57)【特許請求の範囲】
【請求項１】
所定の画面内において背景部中に複数の車両情報を表示する表示パネルと、所定の入力情報に基づいて前記表示パネルに前記車両情報を表示させる制御手段とを備えた車両用表示装置において、前記制御手段は前記車両情報が変化した時点から前記車両情報が変化しないまま所定時間経過した場合、前記車両情報の表示色または輝度を前記背景部の表示色または輝度に近づける同化処理を行うことを特徴とする車両用表示装置。
【請求項２】
前記制御手段は、前記同化処理後に前記車両情報が変化した場合は同化処理前の表示色または輝度に近づける復元処理を行うことを特徴とする請求項１記載の車両用表示装置。
【請求項３】
所定の画面内において背景部中に複数の車両情報を表示する表示パネルと、所定の入力情報に基づいて前記表示パネルに前記車両情報を表示させる制御手段とを備えた車両用表示装置において、前記制御手段は前記車両情報が変化した時点から前記車両情報が変化しないまま所定時間経過した場合、前記車両情報の表示サイズを小さくまたはその太さを細く変化させる縮小・細化処理を行うことを特徴とする車両用表示装置。
【請求項４】
前記制御手段は、前記縮小・細化処理後に前記車両情報が変化した場合は縮小・細化処理前の表示サイズまたは太さに近づける復元処理を行うことを特徴とする請求項３記載の車両用表示装置。
【請求項５】
前記制御手段が前記同化処理を行う際に、前記車両情報の表示色または輝度を前記所定時間の経過に伴って徐々に変化させることを特徴とする請求項１記載の車両用表示装置。
【請求項６】
前記制御手段が前記縮小・細化処理を行う際に、前記車両情報の表示サイズまたは太さを前記所定時間の経過に伴って徐々に変化させることを特徴とする請求項３記載の車両用表示装置。
【発明の詳細な説明】
【技術分野】
【０００１】
本発明は、例えば自動車やオートバイに搭載され、各種車両情報を表示する車両用表示装置に関するものである。
【背景技術】
【０００２】
この種の車両用表示装置として、例えば下記特許文献１に記載されているものが知られている。この車両用表示装置は、表示素子としてドットマトリックス型の液晶パネルが採用され、画面内に例えば瞬間燃費、平均燃費、走行可能距離、水温、燃料、外気温、内気温、オドメータ、トリップメータ、各種警報情報等、様々な車両情報を表示する。
【先行技術文献】
【特許文献】
【０００３】
【特許文献１】実開平０１−１６２６２２号公報
【発明の開示】
【発明が解決しようとする課題】
【０００４】
しかしながら、特許文献１記載の車両用表示装置によれば、様々な車両情報を決まった色または輝度、サイズで表示するだけであるため、画一的な表示にならざるを得ず、特に一画面に複数の情報を同時に表示する場合や他の表示部材と隣接する場合には、どの情報に優先的に注意を向けていいのかが分からず、改良の余地があった。
【０００５】
本発明は、この点に鑑みてなされたもので、必要な情報に注意を向けさせることが可能な車両用表示装置の提供を目的とするものである。
【課題を解決するための手段】
【０００６】
本発明は、前記目的を達成するため、所定の画面内において背景部中に車両情報を表示する表示パネルと、所定の入力情報に基づいて前記表示パネルに前記車両情報を表示させる制御手段とを備えた車両用表示装置において、前記制御手段は前記車両情報が変化した時点から前記車両情報が変化しないまま所定時間経過した場合、前記車両情報の表示色または輝度を前記背景部の表示色または輝度に近づける同化処理を行うことを特徴とする。
このように構成することにより、変化のない車両情報を目立たなくすることができ、これにより必要な情報に注意を向けさせることができる。
【０００７】
また本発明は、前記制御手段は、前記同化処理後に前記車両情報が変化した場合は同化処理前の表示色または輝度に近づける復元処理を行うことを特徴とする。
これにより、変化のあった車両情報を目立たせて強調して優先的に注意を向けさせることができる。
【０００８】
また本発明は、前記目的を達成するため、所定の画面内において背景部中に複数の車両情報を表示する表示パネルと、所定の入力情報に基づいて前記表示パネルに前記車両情報を表示させる制御手段とを備えた車両用表示装置において、前記制御手段は前記車両情報が変化した時点から前記車両情報が変化しないまま所定時間経過した場合、前記車両情報の表示サイズを小さくまたはその太さを細く変化させる縮小・細化処理を行うことを特徴とする。
このように構成することにより、変化のない車両情報を目立たなくすることができ、必要な情報に注意を向けさせることができる。
【０００９】
また本発明は、前記制御手段は、前記縮小・細化処理後に前記車両情報が変化した場合は縮小・細化処理前の表示サイズまたは太さに近づける復元処理を行うことを特徴とする。
これにより、変化のあった車両情報を目立たせて強調して優先的に注意を向けさせることができる。
【００１０】
また本発明は、前記制御手段が前記同化処理を行う際に、前記車両情報の表示色または輝度を前記所定時間の経過に伴って徐々に変化させることを特徴とする。
これにより、車両情報の急激な変化を抑え、違和感を軽減することができる。
【００１１】
また本発明は、前記制御手段が前記縮小・細化処理を行う際に、前記車両情報の表示サイズまたは太さを前記所定時間の経過に伴って徐々に変化させることを特徴とする。
これにより、車両情報の急激な変化を抑え、違和感を軽減することができる。
【発明の効果】
【００１２】
本発明によれば、必要な時に必要な情報に注意を向けさせることが可能な車両用表示装置を得ることができる。
【図面の簡単な説明】
【００１３】
【図１】本発明の一実施形態による車両用表示装置のシステム構成を示すブロック図。
【図２】同実施形態による車両情報の表示と更新を示すタイミング図。
【図３】（ａ）〜（ｆ）は図２の各タイミングに応じて変化する車両情報の推移を示す正面図。
【発明を実施するための形態】
【００１４】
図１において、本発明の一実施形態による車両用表示装置は、表示パネル１と、駆動素子２と、記憶素子３と、制御手段４とを備える。
【００１５】
表示パネル１は、例えばドットマトリクス式の液晶パネルやＥＬパネルを適用でき、所定の画面１１内において背景部１２中に複数の車両情報１３，１４，１５を表示する。なおこれら車両情報１３，１４，１５の表示形式はネガティブ・ポジティブ何れでもよい。また液晶パネル等の受光型の表示パネルを適用する場合は、別途バックライトが必要となるが、説明を割愛する。
【００１６】
車両情報１３，１４，１５は、それぞれオドメータ（データ）、トリップメータ（データ）、外気温（データ）であるが、これら車両情報１３，１４，１５に替えて、もしくはこれら車両情報１３，１４，１５に加えて例えば瞬間燃費、平均燃費、走行可能距離、水温、燃料、内気温、ナビゲーション、各種警報情報等、様々な車両情報を表示してもよい。なお本発明でいう車両情報は、表示パネル１に表示される全ての情報を指し、渋滞状況、天気、オーディオ等、任意の情報が含まれる。
【００１７】
駆動素子２は、制御手段４の指令に応じて表示パネル１の画面１１に対する車両情報１３，１４，１５の描画を制御する例えばグラフィックコントローラからなる。
【００１８】
記憶素子３は、駆動素子２による車両情報１３，１４，１５の描画に必要な意匠データを格納するＲＯＭやＥＥＰＲＯＭ、フラッシュメモリからなる。なお本実施形態では記憶素子３を制御手段４に接続したが、駆動素子２に接続することもできる。
【００１９】
制御手段４は、例えばＣＡＮ通信等の通信ライン５を通じて入力する入力情報に基づいて表示パネル１に車両情報１３，１４，１５を表示させると共に表示される車両情報１３，１４，１５を更新する。
【００２０】
具体的には、前記入力信号に基づいて表示パネル１に表示すべき車両情報１３，１４，１５の各値（データ）を所定周期で演算処理し、この演算処理結果に応じた意匠データを記憶素子３から読み出し、駆動素子２を通じて描画処理させ、前記入力情報に見合った車両情報１３，１４，１５を表示させると共に表示されている車両情報１３，１４，１５を最新のデータに更新させる。
【００２１】
次に表示パネルに表示される車両情報１３，１４，１５のうち、外気温データからなる車両情報１５の推移について図２，図３を用いて詳しく説明する。
【００２２】
図２中、タイミングｔ１は、前記入力情報として外気温情報がそれまでの２４°ｃから２５°ｃに変化したタイミングであり、制御手段４はこのタイミングｔ１をもってそれまで表示パネル１に表示していた２４°ｃなる外気温データを図３（ａ）に示すように２５°ｃに更新して表示させる。
【００２３】
制御手段４は、温度が変化した（表示更新された）タイミングｔ１直後から第１の所定時間Ｔ１（例えば５分）が経過するまでの間に外気温に変化がなく、同じであると判定すると、タイミングｔ２にて車両情報１５の表示色または輝度を背景部１２の表示色または輝度に近づける第１の同化処理を実行し、車両情報１５を同化処理前よりも目立たなくする（図３（ｂ）参照）。ここで第１の同化処理としては例えば背景部１２の色または輝度と車両情報１５の色または輝度とは、完全に同じではなく、注視すれば車両情報１５を認識できる程度に設定している。なお第１の所定時間Ｔ１（例えば５分）が経過するまでの間に外気温が変化した場合は、第１の同化処理は行われないので、車両情報１５の表示色または輝度はタイミングｔ１直後と同じであり、変化直後から再び第１の所定時間のカウントが開始される。
【００２４】
次に制御手段４は、同化処理されたタイミングｔ１直後から第２の所定時間Ｔ２（例えば５分）が経過するまでの間においても外気温に変化がなく、同じであると判定すると、タイミングｔ３にて車両情報１５の表示色または輝度を背景部１２の表示色または輝度と同じにする第２の同化処理を実行し、車両情報１５を第１の同化処理直後よりも目立たなくする（図３（ｃ）参照）。なお第２の同化処理としては背景部１２の表示色または輝度と完全に同じにするのではなく、例えば第１の同化処理直後よりも目立たないが、僅かに認識できる程度に設定してもよい。なお第２の所定時間Ｔ１（例えば５分）が経過するまでの間に外気温が変化した場合は、第２の同化処理は行われないので、車両情報１５の表示色または輝度はタイミングｔ２直後と同じであり、変化直後から再び第２の所定時間のカウントが開始される。
【００２５】
続いてタイミングｔ４において外気温がそれまでの２５°ｃから１°ｃ上がって２６°ｃになった場合、その直後から図３（ｄ）に示すように車両情報１５の表示色または輝度を第１の同化処理前の初期状態に戻す復元処理を行う。
【００２６】
制御手段４は、温度が変化した（表示更新された）タイミングｔ４直後から再び第１の所定時間Ｔ１（例えば５分）のカウントを開始し、第１の所定時間Ｔ１が経過するまでの間に外気温に変化がなく、同じであると判定すると、タイミングｔ５にて車両情報１５の表示色または輝度を背景部１２の表示色または輝度に近づける第１の同化処理を実行するが、この第１の同化処理は、図３（ｂ）の場合と同様である。
【００２７】
また同化処理されたタイミングｔ５直後から第２の所定時間Ｔ２（例えば５分）が経過するまでの間においても外気温に変化がなく、同じであると判定すると、タイミングｔ６にて車両情報１５の表示色または輝度を背景部１２の表示色または輝度と同じにする第２の同化処理を実行するが、この第２の同化処理は図３（ｃ）の場合と同様である。
【００２８】
以上のように、本実施形態では、所定の画面１１内において背景部１２中に車両情報１３，１４，１５を表示する表示パネル１と、所定の入力情報に基づいて表示パネル１に車両情報１３，１４，１５を表示させると共に表示されている車両情報１３，１４，１５を更新する制御手段４とを備えた車両用表示装置において、制御手段４は車両情報１５が所定時間Ｔ１，Ｔ２経過しても変化しない場合、車両情報１５の表示色または輝度を背景部１２の表示色または輝度に近づける同化処理を行うことにより、変化のない車両情報１５を目立たなくすることができ、これにより優先的に注意を向けるべき他の情報に注意を向けることができるため、必要な情報に注意を向けさせることができる。
【００２９】
また本実施形態では第１，第２の同化処理後に車両情報１５が変化した場合は第１，第２の同化処理前の表示色または輝度に近づける復元処理を行うことにより、変化のあった車両情報を目立たせて強調して優先的に注意を向けさせることができる。
【００３０】
なお本実施形態では一つの車両情報１５について同化、復元処理を行ったが、複数の車両情報について任意の所定時間を設定して同化、復元処理を行ってもよい。
【００３１】
また本実施形態では、第１，第２の所定時間の経過に基づいて車両情報１５の表示色または輝度を背景部１２の表示色または輝度に近づける同化処理を行い、また車両情報１５の更新に基づいて車両情報１５の表示色または輝度を復元する復元処理を行ったが、他の実施形態として、第１，第２の所定時間の経過に基づいて車両情報１５の表示サイズを小さくするか、またはその太さを細く変化させる縮小・細化処理を行い、この縮小・細化処理後に車両情報１５が更新された場合は縮小・細化処理前の表示サイズまたは太さに近づける復元処理を行ってもよい。
【００３２】
また本実施形態では、制御手段４が第１，第２の同化処理を行う際に、前記車両情報の表示色または輝度を所定時間Ｔ１，Ｔ２の経過に伴って徐々に変化させることにより、車両情報の急激な変化を抑え、違和感を軽減することができる。
【符号の説明】
【００３３】
１ 表示パネル
２ 駆動素子
３ 記憶素子
４ 制御手段
５ 通信ライン
１１ 画面
１２ 背景部
１３，１４，１５ 車両情報
【図１】
0005471060.tif 000002
【図２】
0005471060.tif 000003
【図３】
0005471060.tif 000004